(57)【要約】【課題】貨幣入出金装置の大きさを大きくすることなく、金種別収納部が満杯状態となってしまった場合でも処理を停止させることなく継続して行うこと。【解決手段】貨幣入出金装置１は、貨幣を入金するための入金口３と、入金された貨幣を金種別に収納するとともに、収納された貨幣を必要に応じて繰り出す複数の金種別収納部４０と、金種別収納部４０から繰り出された貨幣を出金するための出金口８と、金種別収納部４０が満杯状態になったことを検出する満杯検出部５６と、を備えている。貨幣入出金装置１は、ある金種別収納部４０について満杯検出部５６によって満杯状態が検出された場合、当該金種別収納部４０に対応する金種の貨幣を、満杯状態でない別の金種の金種別収納部４０に混合収納させるとともに、混合収納された該金種別収納部４０からの貨幣の繰り出しを禁止させる制御部５５も備えている。【選択図】図６
2012014501.tif 000002
【特許請求の範囲】
【請求項１】
貨幣を入金するための入金口と、
入金された前記貨幣を金種別に収納するとともに、収納された該貨幣を必要に応じて繰り出す複数の金種別収納部と、
前記金種別収納部から繰り出された前記貨幣を出金するための出金口と、
前記金種別収納部が満杯状態になったことを検出する満杯検出部と、
ある金種別収納部について前記満杯検出部によって満杯状態が検出された場合、当該金種別収納部に対応する金種の貨幣を、満杯状態でない別の金種の前記金種別収納部に混合収納させるとともに、混合収納された該金種別収納部からの貨幣の繰り出しを禁止させる制御部と、
を備えたことを特徴とする貨幣入出金装置。
【請求項２】
前記制御部は、混合収納された前記金種別収納部に対応する金種の貨幣を出金させる代わりに、当該貨幣より下位の金種の貨幣を出金させることを特徴とする請求項１に記載の貨幣入出金装置。
【請求項３】
混合収納に用いられる前記金種別収納部は、５の付く金種を収納するための金種別収納部であることを特徴とする請求項１または２のいずれかに記載の貨幣入出金装置。
【請求項４】
混合収納に用いられる前記金種別収納部は、５００円硬貨を収納するための金種別収納部を含むことを特徴とする請求項３に記載の貨幣入出金装置。
【請求項５】
混合収納に用いられる前記金種別収納部は、５００円硬貨を収納するための金種別収納部のみからなり、当該金種別収納部に複数の金種が混合収納されることを特徴とする請求項３に記載の貨幣入出金装置。
【請求項６】
混合収納に用いられる前記金種別収納部は、満杯状態になった前記金種別収納部に対応する金種の貨幣よりも大きな径の貨幣を収納するための金種別収納部であることを特徴とする請求項１乃至５のいずれか１項に記載の貨幣入出金装置。
【請求項７】
混合収納に用いられる前記金種別収納部は、最小金額を収納する金種別収納部以外の金種別収納部であることを特徴とする請求項１乃至６のいずれか１項に記載の貨幣入出金装置。
【請求項８】
複数の前記金種別収納部に対して、混合収納するための金種別収納部として用いられる順番が予め決められており、
混合収納に用いられている金種別収納部が満杯状態になると、次の順位の金種別収納部が、混合収納するための前記金種別収納部として選択されることを特徴とする請求項１乃至４、６および７のいずれか１項に記載の貨幣入出金装置。
【請求項９】
前記順番は、５の付く金種からなる貨幣のうち、径の大きな貨幣を収納する金種別収納部が順次選択される順番からなっていることを特徴とする請求項８に記載の貨幣入出金装置。
【請求項１０】
前記順番は、５の付く金種からなる貨幣のうち、額面額の大きな貨幣を収納する金種別収納部が順次選択される順番からなっていることを特徴とする請求項８に記載の貨幣入出金装置。
【請求項１１】
ある金種別収納部について前記満杯検出部によって満杯状態が検出された場合に当該金種別収納部に対応する金種の貨幣を満杯状態でない別の金種の前記金種別収納部で混合収納させるとともに混合収納された該金種別収納部からの貨幣の繰り出しを禁止させる入超モードと、貨幣を金種毎に金種別収納部に収納させて混合収納させない通常モードに、前記制御部を切換可能な切換部をさらに備え、
前記切換部は、混合収納された前記金種別収納部内の貨幣が全て回収された後でのみ、前記制御部を前記入超モードから前記通常モードに切り換えることを特徴とする請求項１乃至１０のいずれか１項に記載の貨幣入出金装置。
【発明の詳細な説明】
【技術分野】
【０００１】
本発明は、貨幣の入金処理と出金処理を行う貨幣入出金装置に関する。
【背景技術】
【０００２】
従来、入金された貨幣を金種別に収納するとともに、収納された貨幣を必要に応じて繰り出す金種別の金種別収納部を備え、ニアフル状態を検出したときには入金の受け付けを拒否する貨幣入出金装置が知られている（特許文献１参照）。
【先行技術文献】
【特許文献】
【０００３】
【特許文献１】特開２００１−２９１１４５号公報
【発明の概要】
【発明が解決しようとする課題】
【０００４】
上述の特許文献１に記載されたような貨幣入出金装置では、顧客から受け取る貨幣の入金の量が多く、入金処理中に金種別収納部がフル状態（満杯状態）となってしまった場合には、入金の受け付けを行うことができない。このため、このように金種別収納部がフル状態となってしまった場合には、フル状態となった金種の入金を受け付けない縮退運用を行うか、あるいは、貨幣入出金装置での処理を一度停止させて、フル状態となった金種の金種別収納部から貨幣を回収する必要がある。そして、縮退運用を行った場合には、入金処理が制限されることとなり、投入した貨幣の一部が返却されて受付されなくなるため、極めて使い勝手が悪くなる。また、貨幣入出金装置での処理を停止させて回収する場合には、店舗などの貨幣入出金装置において、業務が停止してしまうという問題がある。
【０００５】
この点、金種別収納部と別体を構成し、フル状態となった金種別収納部に対応する金種の貨幣を混合収納するオーバーフロー部を設けることも考えられる。しかしながら、このようなオーバーフロー部を設けると、貨幣入出金装置の大きさが大きくなる、という別の問題が生じてしまう。
【０００６】
本発明は、このような点を考慮してなされたものであり、貨幣入出金装置の大きさを大きくすることなく、金種別収納部が満杯状態となってしまった場合でも処理を停止させることなく継続して行うことができる貨幣入出金装置を提供することを目的とする。
【課題を解決するための手段】
【０００７】
本発明による貨幣入出金装置は、
貨幣を入金するための入金口と、
入金された前記貨幣を金種別に収納するとともに、収納された該貨幣を必要に応じて繰り出す複数の金種別収納部と、
前記金種別収納部から繰り出された前記貨幣を出金するための出金口と、
前記金種別収納部が満杯状態になったことを検出する満杯検出部と、
ある金種別収納部について前記満杯検出部によって満杯状態が検出された場合、当該金種別収納部に対応する金種の貨幣を、満杯状態でない別の金種の前記金種別収納部に混合収納させるとともに、混合収納された該金種別収納部からの貨幣の繰り出しを禁止させる制御部と、
を備えている。
【０００８】
本発明による貨幣入出金装置において、
前記制御部は、混合収納された前記金種別収納部に対応する金種の貨幣を出金させる代わりに、当該貨幣より下位の金種の貨幣を出金させてもよい。
【０００９】
本発明による貨幣入出金装置において、
混合収納に用いられる前記金種別収納部は、５の付く金種を収納するための金種別収納部であってもよい。
【００１０】
本発明による貨幣入出金装置において、
混合収納に用いられる前記金種別収納部は、５００円硬貨を収納するための金種別収納部を含んでもよい。
【００１１】
本発明による貨幣入出金装置において、
混合収納に用いられる前記金種別収納部は、５００円硬貨を収納するための金種別収納部のみからなり、当該金種別収納部に複数の金種が混合収納されてもよい。
【００１２】
本発明による貨幣入出金装置において、
混合収納に用いられる前記金種別収納部は、満杯状態になった前記金種別収納部に対応する金種の貨幣よりも大きな径の貨幣を収納するための金種別収納部であってもよい。
【００１３】
本発明による貨幣入出金装置において、
混合収納に用いられる前記金種別収納部は、最小金額を収納する金種別収納部以外の金種別収納部であってもよい。
【００１４】
本発明による貨幣入出金装置において、
複数の前記金種別収納部に対して、混合収納するための金種別収納部として用いられる順番が予め決められており、
混合収納に用いられている金種別収納部が満杯状態になると、次の順位の金種別収納部が、混合収納するための前記金種別収納部として選択されてもよい。
【００１５】
本発明による貨幣入出金装置において、
前記順番は、５の付く金種からなる貨幣のうち、径の大きな貨幣を収納する金種別収納部が順次選択される順番からなっていてもよい。
【００１６】
本発明による貨幣入出金装置において、
前記順番は、５の付く金種からなる貨幣のうち、額面額の大きな貨幣を収納する金種別収納部が順次選択される順番からなっていてもよい。
【００１７】
本発明による貨幣入出金装置は、
ある金種別収納部について前記満杯検出部によって満杯状態が検出された場合に当該金種別収納部に対応する金種の貨幣を満杯状態でない別の金種の前記金種別収納部で混合収納させるとともに混合収納された該金種別収納部からの貨幣の繰り出しを禁止させる入超モードと、貨幣を金種毎に金種別収納部に収納させて混合収納させない通常モードに、前記制御部を切換可能な切換部をさらに備え、
前記切換部が、混合収納された前記金種別収納部内の貨幣が全て回収された後でのみ、前記制御部を前記入超モードから前記通常モードに切り換えてもよい。
【発明の効果】
【００１８】
本発明によれば、ある金種別収納部について満杯検出部によって満杯状態が検出された場合、当該金種別収納部に対応する金種の貨幣を、満杯状態でない別の金種の金種別収納部に混合収納させるとともに、混合収納された該金種別収納部からの貨幣の繰り出しを禁止させる。このため、貨幣入出金装置の大きさを大きくすることなく、金種別収納部が満杯状態となってしまった場合でも処理を停止させることなく継続して行うことができる。
【図面の簡単な説明】
【００１９】
【図１】本発明の実施の形態による硬貨入出金装置を示す斜視図。
【図２】本発明の実施の形態による硬貨入出金装置を示す上方断面図。
【図３】本発明の実施の形態による硬貨入出金装置の金種別収納部内を示す上方断面図。
【図４】本発明の実施の形態による硬貨入出金装置の金種別収納部内を示す正面断面図。
【図５】本発明の実施の形態による硬貨入出金装置における制御信号の流れを説明するための図。
【図６】本発明の実施の形態による硬貨入出金装置における処理態様を示したフロー図。
【発明を実施するための形態】
【００２０】
以下、本発明に係る貨幣入出金装置について、店舗などの精算所に設置され、ＰＯＳレジスターなどと連動して硬貨の入出金処理を行う硬貨入出金装置を例にした実施の形態ついて、図面を参照して説明する。ここで、図１乃至図６は本発明の実施の形態を示す図である。
【００２１】
図１に示すように、硬貨入出金装置１は、筐体２と、この筐体２の前部上面に設けられて硬貨を投入して入金するための入金口３と、入金された硬貨を金種別に収納するとともに、収納された硬貨を必要に応じて繰り出す複数の金種別収納部４０（４０ａ−４０ｆ）（図２参照）と、筐体２の前面の右側下部に設けられて金種別収納部４０から繰り出された硬貨を出金するための出金トレイ９と、を備えている。なお、出金トレイ９の上面が、機内から払い出される硬貨が放出口７を介して放出される出金口８を構成している。
【００２２】
なお、金種別収納部４０は、図２において、上から１番目が１円硬貨を収納する金種別収納部４０ａであり、上から２番目が５円硬貨を収納する金種別収納部４０ｂであり、上から３番目が１０円硬貨を収納する金種別収納部４０ｃであり、上から４番目が５０円硬貨を収納する金種別収納部４０ｄであり、上から５番目が１００円硬貨を収納する金種別収納部４０ｅであり、上から６番目が５００円硬貨を収納する金種別収納部４０ｆである。
【００２３】
また、図１に示すように、筐体２の前部上面には、操作用や設定用のボタンが設けられた操作部２０と、操作や設定などに関する各種表示をする液晶表示器や金種別の硬貨収納量を表示するＬＥＤ表示器などの表示部２１が設けられている。
【００２４】
また、図２に示すように、筐体２内には、入金口３から投入された硬貨を一枚ずつ搬送する搬送機構３５が設けられている。そして、この搬送機構３５は、硬貨を搬送するための搬送路３８と、複数のプーリ３７に張架された無端状の搬送ベルト３６と、この搬送ベルト３６から下方に突出するようにして設けられ、硬貨の後端に当接して当該硬貨を押動する複数の突起部（図示せず）と、を有している。
【００２５】
また、図２に示すように、搬送路３８には、硬貨の材質、径などが検出されて硬貨の金種などを識別することができる識別部５０が設けられている。また、搬送路３８には、識別部５０によって識別した結果、金種を識別することができなかった硬貨や所定の硬貨でないと判断された物を排除するためのリジェクト部７０が設けられている。なお、リジェクト部７０により排除された硬貨などは、後述する出金搬送部６０により搬送され、放出口７を介して出金口８に返却されるようになっている。
【００２６】
また、図２に示すように、金種別収納部４０の上方には、搬送ベルト３６によって搬送される硬貨を金種別に選別するために、金種別収納部４０の各々に対応して選別部７５が設けられている。各選別部７５は、搬送路３８から硬貨が落下する選別孔７７と、この選別孔７７内に搬送ベルト３６によって搬送される硬貨を導くための選別ゲート７６とを有している。そして、選別ゲート７６が開状態となったときに、開状態になった選別ゲート７６に対応する選別孔７７へと硬貨が落下して、当該硬貨が、対応する金種別収納部４０内に収納されるようになっている。なお、各選別部７５には、搬送ベルト３６により搬送される硬貨を検出する硬貨検出センサ７８がそれぞれ設けられている。そして、識別部５０で識別された硬貨が、落下すべき選別孔７７の搬送方向上流側の直前に設けられた硬貨検出センサ７８によって検出されると、選別ゲート７６が開かれて硬貨が落下することとなる。またこのとき、当該選別孔７７の搬送方向下流側に設けられた硬貨検出センサ７８によって、所定時間、硬貨が検出されないことによって、確かに当該選別孔７７に硬貨が落下したことが確認され、後述するソフト満杯検出部５６ａによって当該金種の硬貨の枚数が１枚加算される。
【００２７】
図３および図４に示すように、各金種別収納部４０は、複数の硬貨をランダム状態で収納するための収納庫４３と、収納庫４３内で硬貨を搬送する収納搬送部４１と、収納搬送部４１で搬送される硬貨を１層状態に規制する逆転ローラ（収納規制部材）４４とを有している。このうち、収納搬送部４１は、収納庫４３の底面に設けられて無端状の平ベルトからなる搬送ベルト４１ａと、搬送ベルト４１ａが巻き架けられたプーリ４１ｂと、このプーリ４１ｂに駆動力を付与する駆動モータ（図示せず）と、を有している。また、収納庫４３の側面には開口４２が設けられており、金種別収納部４０に収納された硬貨は搬送ベルト４１ａによりこの開口４２から収納庫４３の外方（図３および図４における右方向）へ繰り出されるようになっている。
【００２８】
なお、上述の逆転ローラ４４は、この開口４２を塞ぐように、搬送ベルト４１ａの上方に設けられている。そして、逆転ローラ４４と搬送ベルト４１ａとの間には、硬貨一枚分の通過を許容する隙間が形成されている。この逆転ローラ４４は、搬送ベルト４１ａによる硬貨の搬送方向に対して逆方向（図４における矢印方向）に回転し、硬貨繰出方向（図３および図４における右方向）へ繰り出されようとする搬送ベルト４１ａ上の硬貨を１層１列状態に整列させるようになっている。
【００２９】
また、金種別収納部４０の側方（図２乃至図４の右側側方）には、各金種別収納部４０から繰り出された硬貨を搬送する出金搬送部６０が設けられている。この出金搬送部６０は搬送ベルト６１を有し、この搬送ベルト６１により、各金種別収納部４０から繰り出された硬貨が一枚ずつ図２における下方向に搬送されて放出口７を介して出金口８に送られるようになっている。
【００３０】
また、図３および図４に示すように、各金種別収納部４０において、搬送ベルト４１ａの搬送方向における逆転ローラの下流側にはストッパ用ソレノイド４６が設けられている。図４に示すように、各ストッパ用ソレノイド４６は、下方に伸びるプランジャ部分４６ａを有しており、このプランジャ部分４６ａは搬送ベルト４１ａに向かって進退するようになっている。図４に示すようにプランジャ部分４６ａが搬送ベルト４１ａに向かって伸びているときには、逆転ローラ６６と搬送ベルト４１ａとの間の隙間を通過した搬送ベルト４１ａ上の硬貨は、ストッパ用ソレノイド４６により停止させられて出金搬送部６０に送られないようになっている。一方、図４に示すような位置からプランジャ部分４６ａが搬送ベルト４１ａから上方に退避したときには、このプランジャ部分４６ａにより停止させられていた硬貨が出金搬送部６０に搬送可能となる。
【００３１】
また、図４に示すように、各金種別収納部４０において、搬送ベルト４１ａの搬送方向における逆転ローラ４４の下流側には硬貨検出部４９が設けられている。この硬貨検出部４９は、光を発光する発光部分４９ａと、発光部分４９ａから発せられた光を受光する受光部分４９ｂとを有している。また、図３に示すように、各金種別収納部４０には、発光部分４９ａから発せられた光が通過するためのセンサ孔４９ｃが設けられている。そして、逆転ローラ４４と搬送ベルト４１ａとの間の隙間を通過した硬貨が搬送ベルト４１ａにより出金搬送部６０に送られる際に、硬貨検出部４９の発光部分４９ａから発せられた光がこの硬貨により遮られて受光部分４９ｂに届かなくなる。そして、このことによって、硬貨検出部４９により、金種別収納部４０から出金搬送部６０に硬貨が送られたことが検出される。
【００３２】
また、図５は、硬貨入出金装置１における制御信号の流れを説明するブロック図である。この図５に示されるように、硬貨入出金装置１は、金種別収納部４０が満杯状態になったことを検出する満杯検出部５６を備えている。この満杯検出部５６は、各金種別収納部４０内に搬送された硬貨の枚数をソフト的にカウントすることで満杯状態を検出するソフト満杯検出部５６ａと、各金種別収納部４０の収納庫４３の上部領域に設けられ、収納庫４３内における硬貨の収納状態を検出するフォトセンサ５６ｂ（図２参照）とを有している。
【００３３】
また、硬貨入出金装置１は、図５に示すように、表示部２１、搬送機構３５、金種別収納部４０、識別部５０、出金搬送部６０、リジェクト部７０、選別部７５などの要素を制御するための制御部５５を備えている。この制御部５５は、満杯検出部５６に接続されており、ある金種別収納部４０について満杯検出部５６によって満杯状態が検出された場合、当該金種別収納部４０に対応する金種の硬貨を、満杯状態でない別の金種の金種別収納部４０に混合収納させるとともに、混合収納された当該金種別収納部４０からの硬貨の繰り出しを禁止させるように構成されている。また、制御部５５は、操作部２０（図１参照）にも接続されており、操作部２０から入力される指示に基づいて各要素を制御するようにも構成されている。
【００３４】
また、制御部５５は、混合収納された金種別収納部４０に対応する金種の硬貨を出金させる代わりに、当該硬貨より下位の金種の硬貨を出金させる（代替出金させる）ようにも構成されている。なお、本実施の形態において混合収納に用いられる金種別収納部４０は、５の付く金種を収納するための金種別収納部４０ｂ，４０ｄ，４０ｆからなっており、より具体的には、５円硬貨、５０円硬貨および５００円硬貨を収納する金種別収納部４０ｂ，４０ｄ，４０ｆからなっている。
【００３５】
また、本実施の形態では、上述のように、混合収納に用いられる金種別収納部４０は、５の付く金種を収納するための金種別収納部４０ｂ，４０ｄ，４０ｆからなっていることから、混合収納に用いられる金種別収納部４０ｂ，４０ｄ，４０ｆが、最小金額（１円）を収納する金種別収納部４０ａ以外の金種別収納部４０ｂ−４０ｆからなっていることになる。
【００３６】
このように混合収納に用いられる金種別収納部４０を、最小金額（１円）を収納する金種別収納部４０ａ以外の金種別収納部４０ｂ−４０ｆとすることによって、制御部５５によって、最小金額（１円）の硬貨の出金は禁止されない。このため、代替出金が不可能になる事態を防止することができる。
【００３７】
なお、１００円ショップなど、５％の消費税を考慮しても釣り銭として１円硬貨を利用する必要がない店舗などについては、最小金額（１円）ではなく５円硬貨を収納する金種別収納部４０を、混合収納されない金種別収納部４０として設定することもできる。また、このように１円硬貨を釣り銭として利用しない場合には、１円硬貨を収納するための金種別収納部４０ａを混合収納するための金種別収納部４０として利用すればよい。
【００３８】
ところで、本願では、ある金種別収納部４０について満杯検出部５６によって満杯状態が検出された場合に当該金種別収納部４０に対応する金種の硬貨を満杯状態でない別の金種の金種別収納部４０で混合収納させるとともに混合収納された当該金種別収納部４０からの硬貨の繰り出しを禁止させるモードのことを「入超モード」と言い、硬貨を金種毎に金種別収納部４０に収納させて混合収納させないモードのことを「通常モード」と言う。
【００３９】
本実施の形態の硬貨入出金装置１は、制御部５５を、上述した入超モードと通常モードとの間で切換可能な切換部５９を備えている。そして、この切換部５９は、混合収納された金種別収納部４０内の硬貨が全て回収された後でのみ、制御部５５を入超モードから通常モードに切り換えるように構成されている。
【００４０】
また、本実施の形態では、複数の金種別収納部４０に対して、混合収納するための金種別収納部４０として用いられる順番が予め決められており、混合収納に用いられている金種別収納部４０が満杯状態になると、次の順位の金種別収納部４０が、混合収納するための金種別収納部４０として選択されるようになっている。
【００４１】
予め定められた順番は、例えば、５の付く金種からなる硬貨のうち、径の大きな硬貨を収納する金種別収納部４０が順次選択される順番からなってもよいし、５の付く金種からなる硬貨のうち、額面額の大きな硬貨を収納する金種別収納部４０が順次選択される順番からなってもよい。ここで、５の付く金種からなる硬貨のうち、径の大きな硬貨を収納する金種別収納部４０が順次選択される順番によれば、５００円硬貨を収納する金種別収納部４０ｆが１番となり、５円硬貨を収納する金種別収納部４０ｂが２番となり、５０円硬貨を収納する金種別収納部４０ｄが３番となる。他方、５の付く金種からなる硬貨のうち、額面額の大きな硬貨を収納する金種別収納部４０が順次選択される順番によれば、５００円硬貨を収納する金種別収納部４０ｆが１番となり、５０円硬貨を収納する金種別収納部４０ｄが２番となり、５円硬貨を収納する金種別収納部４０ｂが３番となる。
【００４２】
次に、このような構成からなる本実施の形態の作用および効果について、図６のフロー図を用いて、以下説明する。
【００４３】
顧客から操作者が硬貨を受け取り、当該硬貨が硬貨入出金装置１の入金口３に投入されることで取引が開始される（ＳＴ１１）。
【００４４】
満杯検出部５６によって、金種別収納部４０の各々について満杯状態が検出されるまでは、入金口３に投入された硬貨は、金種別に金種別収納部４０に収納される（ＳＴ１２の「ＮＯ」およびＳＴ２５）。そして、釣り銭がある場合には釣り銭が出金されると取引が終了され（ＳＴ２６およびＳＴ１９）、他方、釣り銭がない場合には金種別収納部４０への入金が終了すると取引が終了される（ＳＴ２５およびＳＴ１９）。
【００４５】
上述と異なり、満杯検出部５６によって、ある金種別収納部４０について満杯状態が検出されると（ＳＴ１２の「ＹＥＳ」）、以下の処理が行われる。
【００４６】
まず、制御部５５が入超モードに入っているかが判断される（ＳＴ１３）。
【００４７】
ここで、制御部５５が入超モードに入っておらず通常モードの場合には、当該硬貨入出金装置１による取引が停止される（ＳＴ３１）。すなわち、入金口３に投入された硬貨が機内に入金されている途中（取引途中）で金種別収納部４０のいずれかについて満杯状態が検出されると、当該取引がキャンセルされて、投入された硬貨の全てが出金トレイ９に返却されるとともに、硬貨入出金装置１の利用が禁止される。また、当該取引が終了した時点で金種別収納部４０のいずれかについて満杯状態が検出されると、硬貨入出金装置１の利用が禁止されて、以降の入金が受け付けられなくなる。
【００４８】
そして、満杯状態であると判断された金種別収納部４０内の硬貨が所定量回収されると（ＳＴ３２）、硬貨入出金装置１の利用が許可されて、硬貨入出金装置１は、新たな硬貨の入金を受け付けるようになる。
【００４９】
上述と異なり、制御部５５が入超モードに入っている場合には（ＳＴ１３の「ＹＥＳ」）、満杯状態である金種別収納部４０に対応する硬貨（以降、「オーバーフロー硬貨」とも言う。）が、満杯状態でない別の金種の金種別収納部４０に混合収納される（ＳＴ１５）。そして、このように異なる金種の硬貨が混合収納された金種別収納部４０からの硬貨の繰り出しは、制御部５５によって禁止される。
【００５０】
なお、制御部５５が入超モードになっていない（通常モードである）場合には、制御部５５を通常モードから入超モードへ切り換えるかについて、操作者に対して表示部２１を介して問いかけられてもよい。この場合には、操作者が、操作部２０を介して、制御部５５を通常モードから入超モードへ切り換えることを指示することによって、制御部５５が通常モードから入超モードへ切り換えられることとなる。
【００５１】
また、これに限られることはなく、金種別収納部４０が満杯状態であると判断された場合には、自動的に、制御部５５を通常モードから入超モードへ切り換えてもよい。この場合には、制御部５５が通常モードから入超モードへ切り換えられたことが表示部２１に表示され、操作者がその旨を認識することができるようにしておくことが好ましい。
【００５２】
上述のように制御部５５が入超モードに入っている場合には、釣り銭がある場合には釣り銭が出金されると取引が終了され（ＳＴ１６およびＳＴ１９）、他方、釣り銭がない場合には金種別収納部４０への入金が終了すると取引が終了される（ＳＴ１５およびＳＴ１９）。
【００５３】
また、釣り銭がある場合であって、混合収納された金種別収納部４０に対応する金種の硬貨を釣り銭として出金する必要がある場合には、制御部５５によって、混合収納された金種別収納部４０に対応する金種の硬貨を出金させる代わりに、当該硬貨より下位の金種のうち所定の硬貨が出金される（所定の金種別収納部４０から代替出金される）（ＳＴ１６）。
【００５４】
ところで、本実施の形態では、複数の金種別収納部４０に対して、混合収納するための金種別収納部４０として用いられる順番が予め決められている。
【００５５】
混合収納するための金種別収納部４０として用いられる順番として、例えば、５の付く金種からなる硬貨のうち径の大きな硬貨を収納する金種別収納部４０が順次選択される順番を用いた場合には、５００円硬貨を収納するための金種別収納部４０ｆが満杯状態になるまで、当該金種別収納部４０ｆ内にオーバーフロー硬貨が搬送される。そして、５００円硬貨を収納するための金種別収納部４０ｆが満杯状態になると、次いで、５円硬貨を収納するための金種別収納部４０ｂ内にオーバーフロー硬貨が搬送される。そして、５円硬貨を収納するための金種別収納部４０ｂが満杯状態になると、次いで、５０円硬貨を収納するための金種別収納部４０ｄ内にオーバーフロー硬貨が搬送されることとなる。
【００５６】
そして、このような態様によれば、混合収納された硬貨を回収する際に、金種別収納部４０から硬貨をスムーズに繰り出すことができる。すなわち、硬貨入出金装置１の機種によっては、金種別収納部４０と出金搬送部６０との間に設けられた開口４２の大きさが、当該金種別収納部４０に対応する金種の硬貨に合わせて作られていることがある。このような機種の場合には、オーバーフロー硬貨が、そのオーバーフロー硬貨の径よりも小さな硬貨を収納するための金種別収納部４０に収納されると、混合収納されたオーバーフロー硬貨が上述した開口４２を通過することができず、回収処理をスムーズに行うことができない。これに対して、径の大きな硬貨を収納する金種別収納部４０が順次選択される順番を用いた場合には、混合収納されたオーバーフロー硬貨が上述した開口４２を通過することができなくなることを最小限に抑えることができ、回収処理をスムーズに行うことができる。
【００５７】
他方、混合収納するための金種別収納部４０として用いられる順番として、例えば、５の付く金種からなる硬貨のうち額面額の大きな硬貨を収納する金種別収納部４０が順次選択される順番を用いた場合には、５００円硬貨を収納するための金種別収納部４０ｆが満杯状態になるまで、当該金種別収納部４０ｆ内にオーバーフロー硬貨が搬送される。そして、５００円硬貨を収納するための金種別収納部４０ｆが満杯状態になると、次いで、５０円硬貨を収納するための金種別収納部４０ｄ内にオーバーフロー硬貨が搬送される。そして、５０円硬貨を収納するための金種別収納部４０ｄが満杯状態になると、次いで、５円硬貨を収納するための金種別収納部４０ｂ内にオーバーフロー硬貨が搬送されることとなる。
【００５８】
そして、このような態様によれば、顧客に与える違和感を軽減することができる。すなわち、このような態様によれば、釣り銭として利用することができなくなる硬貨の順番を５００円→５０円→５円とすることができる。このため、５００円硬貨１枚を１００円硬貨５枚で代替えし、５００円硬貨を収納するための金種別収納部４０ｆが満杯状態になった後で始めて５０円硬貨１枚を１０円硬貨５枚で代替えし、５０円硬貨を収納するための金種別収納部４０ｄが満杯状態になった後で始めて５円硬貨１枚を１円硬貨５枚で代替えすることができる。この点、顧客が釣り銭として受ける違和感は、額面額の小さな硬貨の枚数が増えるとともに大きくなると考えられることから、本態様によれば、顧客に与える違和感を軽減することができる。
【００５９】
上述のように、本実施の形態の硬貨入出金装置１によれば、入超モードを利用することができるので、ある金種別収納部４０が満杯状態となってしまった場合であっても、硬貨入出金装置１での処理を一度停止させる必要がない。また、オーバーフロー硬貨を満杯状態でない別の金種の金種別収納部４０に混合収納させるため、オーバーフロー部を新たに設ける必要がない。
【００６０】
このため、本実施の形態によれば、硬貨入出金装置１の大きさを大きくすることなく、金種別収納部４０が満杯状態となってしまった場合でも処理を停止させることなく継続して行うことができる。
【００６１】
また、混合収納された金種別収納部４０に対応する金種の硬貨を出金させる代わりに、当該硬貨より下位の金種の硬貨が出金させるので、硬貨入出金装置１による出金処理を滞りなく行うことができる。この際には、オーバーフロー硬貨と同じ桁からなる下位の金種の硬貨を代替えとして出金させることが好ましい。
【００６２】
すなわち、５００円硬貨を収納するための金種別収納部４０ｆが混合収納のために用いられた場合には、例えば、１００円硬貨を５００円硬貨の代わりに出金させることが好ましい。また、５０円硬貨を収納するための金種別収納部４０ｄが混合収納のために用いられた場合には、例えば、１０円硬貨を５０円硬貨の代わりに出金させることが好ましい。さらに、５円硬貨を収納するための金種別収納部４０ｂが混合収納のために用いられた場合には、例えば、１円硬貨を５円硬貨の代わりに出金させることが好ましい。
【００６３】
このようにすることで、顧客に渡す硬貨の枚数を減らすことができ、顧客に違和感を与えることを防止することができるためである。
【００６４】
ところで、本実施の形態では、５の付く金種からなる硬貨を収納するための金種別収納部４０ｂ，４０ｄ，４０ｆが混合収納のために用いられているが、これに限られることはなく、１の付く金種からなる硬貨を収納するための金種別収納部４０ａ，４０ｃ，４０ｅが混合収納のために用いてもよい。しかしながら、５の付く金種を１の付く金種で代替えした方（例えば、５００円硬貨１枚の代わりに１００円硬貨５枚を代替えで用いた方）が、１の付く金種を５の付く金種で代替えした場合（例えば、１００円硬貨１枚の代わりに５０円硬貨２枚を代替えで用いた場合）よりも顧客に与える違和感が小さいことや、１の付く金種を５の付く金種で代替えした場合には最大８枚も顧客に代替えされた硬貨を渡す必要がある（例えば、１００円硬貨４枚の代わりに５０円硬貨８枚を顧客に渡す必要がある）ことからすると、５の付く金種からなる硬貨を収納するための金種別収納部４０ｂ，４０ｄ，４０ｆを混合収納のために用いる方が好ましい。
【００６５】
一日の業務が終了すると（ＳＴ５１の「ＹＥＳ」）、制御部５５が入超モードへ切り換えられていた場合には、制御部５５によって、表示部２１を介して、操作者に通常モードへ変更するか問いかけられる（ＳＴ５２）。そして、操作者が、通常モードへの切換を指示すると、切換部５９によって、制御部５５が入超モードから通常モードに切り換えられる。
【００６６】
なお、本実施の形態では、制御部５５が入超モードから通常モードに切り換えられるのに先だって、混合収納された金種別収納部４０内の硬貨が全て回収される（ＳＴ５５）。このため、金種別収納部４０に金種別に硬貨が収納されている場合にのみ（全ての金種別収納部４０について混合収納されていない場合にのみ）通常モードを利用することができ、誤った金種の硬貨が釣り銭として利用されることを防止することができる。
【００６７】
（変形例１）
上記では、複数の金種別収納部４０に対して、混合収納するための金種別収納部４０として用いられる順番が予め決められている態様を用いて説明したが、これに限られることはない。オーバーフロー硬貨の金種毎に収納される金種別収納部４０が定められており、例えば、１００円硬貨を収納するための金種別収納部４０ｅが満杯状態になった場合には、オーバーフローした１００円硬貨が５００円硬貨を収納する金種別収納部４０ｆに収納され、１０円硬貨を収納するための金種別収納部４０ｃが満杯状態になった場合には、オーバーフローした１０円硬貨が５０円硬貨を収納する金種別収納部４０ｄに収納され、１円硬貨を収納するための金種別収納部４０ａが満杯状態になった場合には、オーバーフローした１円硬貨が５円硬貨を収納する金種別収納部４０ｂに収納される態様を用いてもよい。
【００６８】
また、このようにオーバーフロー硬貨の金種毎に収納される金種別収納部４０が定められている場合には、オーバーフロー硬貨の金種と収納される金種別収納部４０に通常モードで収納される金種とが、１対１で対応している必要はなく、例えば、１００円硬貨を収納するための金種別収納部４０ｅが満杯状態になった場合には、オーバーフローした１００円硬貨が５００円硬貨を収納する金種別収納部４０ｆに収納され、１０円硬貨を収納するための金種別収納部４０ｃが満杯状態になった場合と、１円硬貨を収納するための金種別収納部４０ａが満杯状態になった場合には、オーバーフローした１０円硬貨と１円硬貨が５０円硬貨を収納する金種別収納部４０ｄに収納される態様を用いてもよい。
【００６９】
また、このようにオーバーフロー硬貨の金種毎に収納される金種別収納部４０が定められている場合には、混合収納に用いられる金種別収納部４０が、オーバーフロー硬貨（満杯状態になった金種別収納部４０に対応する金種の貨幣）よりも大きな径の貨幣を収納するための金種別収納部４０であってもよい。
【００７０】
このような態様によれば、混合収納された硬貨を回収する際に、金種別収納部４０から硬貨をスムーズに繰り出すことができる。すなわち、上述したように、硬貨入出金装置１の機種によっては、金種別収納部４０と出金搬送部６０との間に設けられた開口４２の大きさが、当該金種別収納部４０に対応する金種の硬貨に合わせて作られていることがある。このような機種の場合には、オーバーフロー硬貨が、そのオーバーフロー硬貨の径よりも小さな硬貨を収納するための金種別収納部４０に収納されると、混合収納されたオーバーフロー硬貨が上述した開口４２を通過することができず、回収処理をスムーズに行うことができない。これに対して、本態様によれば、混合収納されたオーバーフロー硬貨が上述した開口４２を確実に通過することができ、回収処理をスムーズに行うことができる。
【００７１】
（変形例２）
また、上述のように複数の金種別収納部４０が混合収納されるために用いられるのではなく、混合収納に用いられる金種別収納部４０が、５００円硬貨を収納するための金種別収納部４０のみからなってもよい。
【００７２】
５００円硬貨は、現在流通している硬貨のうちで最も大きな径からなっているので、混合収納されたオーバーフロー硬貨は、５００円を収納するための金種別収納部４０の開口４２を確実に通過することができ、回収処理をスムーズに行うことができる。
【００７３】
また、５００円硬貨１枚を１００円硬貨５枚で代替えすることは、５０円硬貨１枚を１０円硬貨５枚で代替えしたり、５円硬貨１枚を１円硬貨５枚で代替えしたりする場合と比較して、顧客が釣り銭として受ける違和感が最も小さいと考えられる。このため、本変形例によれば、顧客に与える違和感を最小限に抑えることができる。
【００７４】
他方、このように、５００円硬貨を収納するための金種別収納部４０のみを混合収納のために用いた場合には、オーバーフロー硬貨を収納するための容量が小さくなってしまうため、大量のオーバーフロー硬貨が発生してしまう場合には、上述のように複数の金種別収納部４０を混合収納するための金種別収納部４０として用いることが好ましい。
【符号の説明】
【００７５】
２        筐体
３        入金口
７        放出口
８        出金口
９        出金トレイ
２０      操作部
２１      表示部
３５      搬送機構
４０      金種別収納部
５０      識別部
５５      制御部
５６      満杯検出部
５６ａ    ソフト満杯検出部
５６ｂ    フォトセンサ
５９      切換部
６０      出金搬送部
７０      リジェクト部
７５      選別部
【図１】
2012014501.tif 000003
【図２】
2012014501.tif 000004
【図３】
2012014501.tif 000005
【図４】
2012014501.tif 000006
【図５】
2012014501.tif 000007
【図６】
2012014501.tif 000008